(57)【要約】【課題】液晶表示パネルの入射側に設けられる入射側偏光板を冷却風により高い効率で冷却可能とするプロジェクターを提供すること。【解決手段】入射面Ｓ１と射出面Ｓ２とを備える入射側偏光板２２Ｒ、２２Ｇ、２２Ｂと、入射側偏光板２２Ｒ、２２Ｇ、２２Ｂの射出面Ｓ２から射出された光を画像信号に応じて変調する空間光変調装置である液晶表示パネル２３Ｒ、２３Ｇ、２３Ｂと、少なくとも入射側偏光板２２Ｒ、２２Ｇ、２２Ｂ及び空間光変調装置を冷却するための冷却風が流動する冷却用ダクトを構成するダクト構成部材と、を有し、冷却用ダクトは、ダクト構成部材と、入射側偏光板２２Ｒ、２２Ｇ、２２Ｂの入射面Ｓ１とを含めて構成される第１冷却用ダクトＤ１と、ダクト構成部材と、入射側偏光板２２Ｒ、２２Ｇ、２２Ｂの射出面Ｓ２とを含めて構成される第２冷却用ダクトＤ２と、を備える。【選択図】図４
2011033675.tif 000002
【特許請求の範囲】
【請求項１】
光源からの光が入射する入射面と、前記入射面側から透過した光を射出させる射出面と、を備える入射側偏光板と、
前記入射側偏光板の前記射出面から射出された光を画像信号に応じて変調する空間光変調装置と、
少なくとも前記入射側偏光板及び前記空間光変調装置を冷却するための冷却風が流動する冷却用ダクトを構成するダクト構成部材と、を有し、
前記冷却用ダクトは、
前記ダクト構成部材と、前記入射側偏光板の前記入射面とを含めて構成される第１冷却用ダクトと、
前記ダクト構成部材と、前記入射側偏光板の前記射出面とを含めて構成される第２冷却用ダクトと、
を備えることを特徴とするプロジェクター。
【請求項２】
前記入射側偏光板同士の間で前記第１冷却用ダクトと前記第２冷却用ダクトとを仕切る仕切り部を備えることを特徴とする請求項１に記載のプロジェクター。
【請求項３】
前記ダクト構成部材は、前記入射側偏光板の前記入射面へ入射させる光を透過させる入射側透過部材を備え、
前記第１冷却用ダクトは、前記入射側透過部材を含めて構成されることを特徴とする請求項１又は２に記載のプロジェクター。
【請求項４】
前記入射側透過部材は、レンズ素子であることを特徴とする請求項３に記載のプロジェクター。
【請求項５】
前記ダクト構成部材は、前記空間光変調装置から射出された光を透過させる射出側透過部材を備え、
前記第２冷却用ダクトは、前記射出側透過部材を含めて構成されることを特徴とする請求項１から４のいずれか一項に記載のプロジェクター。
【請求項６】
前記空間光変調装置から射出された光同士を合成させる色合成光学系を有し、
前記第２冷却用ダクトは、前記色合成光学系の入射面を含めて構成されることを特徴とする請求項１から４のいずれか一項に記載のプロジェクター。
【請求項７】
第１色光が入射する前記入射側偏光板である第１入射側偏光板と、
第２色光が入射する前記入射側偏光板である第２入射側偏光板と、
第３色光が入射する前記入射側偏光板である第３入射側偏光板と、
前記第１入射側偏光板からの前記第１色光を画像信号に応じて変調する前記空間光変調装置である第１空間光変調装置と、
前記第２入射側偏光板からの前記第２色光を画像信号に応じて変調する前記空間光変調装置である第２空間光変調装置と、
前記第３入射側偏光板からの前記第３色光を画像信号に応じて変調する前記空間光変調装置である第３空間光変調装置と、
前記第１冷却用ダクトと前記第２冷却用ダクトとを仕切る仕切り部と、
を有し、
前記冷却用ダクトは、前記第１空間光変調装置、前記第２空間光変調装置及び前記第３空間光変調装置を順次冷却するための冷却風が流動し、
前記仕切り部は、前記第１入射側偏光板及び前記第２入射側偏光板の間と、前記第２入射側偏光板及び前記第３入射側偏光板の間と、の少なくとも一方に設けられることを特徴とする請求項１から６のいずれか一項に記載のプロジェクター。
【請求項８】
前記入射側偏光板は、色光ごとに設けられ、
前記第１冷却用ダクトは、各入射側偏光板のうちの少なくとも一つの前記入射面を含めて構成され、
前記第２冷却用ダクトは、各入射側偏光板のうちの少なくとも一つの前記射出面を含めて構成されることを特徴とする請求項１から７のいずれか一項に記載のプロジェクター。
【請求項９】
前記第１冷却用ダクトは、緑色光用の入射側偏光板の前記入射面を含めて構成され、
前記第２冷却用ダクトは、前記緑色光用の入射側偏光板の前記射出面を含めて構成されることを特徴とする請求項８に記載のプロジェクター。
【発明の詳細な説明】
【技術分野】
【０００１】
本発明は、プロジェクター、特に、液晶表示パネルを備えるプロジェクターに関する。
【背景技術】
【０００２】
従来、プロジェクターは、投写性能の向上や小型化を目的とする開発が進められている。プロジェクターとしては、例えば、赤色（Ｒ）光用、緑色（Ｇ）光用、青色（Ｂ）光用の各透過型液晶表示パネルを備えるプロジェクターが広く普及している。液晶表示パネルは、照明光の吸収によって発熱する。液晶表示パネルの放熱には、例えば、冷却風を流動させるファンが用いられている。
【０００３】
プロジェクターの冷却構造としては、液晶表示パネルが配置される光軸を含む面に対して、略垂直な方向へ冷却風を流動させる構成が知られている。この場合、各液晶表示パネルへ均等に冷却風を供給し易くなる一方、各液晶表示パネルを配置する部分の上下にファン、及び冷却風を流動させるためのダクトが配置されることでプロジェクターの薄型化が難しくなる点が課題となる。かかる課題に対しては、光軸を含む面に略平行な方向へ冷却風を流動させる流路を設け、冷却風により各液晶表示パネルを順次冷却する技術が提案されている（例えば、特許文献１及び２参照）。
【先行技術文献】
【特許文献】
【０００４】
【特許文献１】特開２００１−２８１６１３号公報
【特許文献２】特開平５−６１１１９号公報
【発明の概要】
【発明が解決しようとする課題】
【０００５】
透過型液晶表示パネルを備えるプロジェクターは、液晶表示パネルのみならず、例えば、液晶表示パネルの入射側に設けられる入射側偏光板も、照明光の吸収によって発熱することとなる。液晶表示パネルと入射側偏光板との間の流路において冷却風を流動させる場合、入射側偏光板のうち冷却風によって冷却されるのは、液晶表示パネルと対向する側のみとなる。このため、入射側偏光板の十分な冷却が困難となる場合があるという問題を生じる。本発明は、上述の問題に鑑みてなされたものであり、液晶表示パネルの入射面側に設けられる入射側偏光板を冷却風により高い効率で冷却可能とするプロジェクターを提供することを目的とする。
【課題を解決するための手段】
【０００６】
上述した課題を解決し、目的を達成するために、本発明に係るプロジェクターは、光源からの光が入射する入射面と、前記入射面側から透過した光を射出させる射出面と、を備える入射側偏光板と、前記入射側偏光板の前記射出面から射出された光を画像信号に応じて変調する空間光変調装置と、少なくとも前記入射側偏光板及び前記空間光変調装置を冷却するための冷却風が流動する冷却用ダクトを構成するダクト構成部材と、を有し、前記冷却用ダクトは、前記ダクト構成部材と、前記入射側偏光板の前記入射面とを含めて構成される第１冷却用ダクトと、前記ダクト構成部材と、前記入射側偏光板の前記射出面とを含めて構成される第２冷却用ダクトと、を備えることを特徴とする。
【０００７】
入射側偏光板は、第１冷却用ダクトを流動する冷却風によって入射面側から冷却され、第２冷却用ダクトを流動する冷却風によって射出面側から冷却される。入射側偏光板は、入射面側と射出面側とからの放熱により、効率的な冷却が可能となる。これにより、冷却風により入射側偏光板を高い効率で冷却させることができる。
【０００８】
また、本発明の好ましい態様としては、前記入射側偏光板同士の間で前記第１冷却用ダクトと前記第２冷却用ダクトとを仕切る仕切り部を備えることが望ましい。これにより、入射側偏光板の入射面側と射出面側とへ確実に冷却風を進行させる構成にできる。
【０００９】
また、本発明の好ましい態様としては、前記ダクト構成部材は、前記入射側偏光板の前記入射面へ入射させる光を透過させる入射側透過部材を備え、前記第１冷却用ダクトは、前記入射側透過部材を含めて構成されることが望ましい。これにより、第１冷却用ダクトにおいて所望の進行方向へ冷却風を流動させるとともに、第１冷却用ダクトの外部から内部へ光を通過させる。
【００１０】
また、本発明の好ましい態様としては、前記入射側透過部材は、レンズ素子であることが望ましい。レンズ素子を第１冷却用ダクトの構成部品とすることにより、レンズ素子に代えて別途第１冷却用ダクトを構成するための部品が使用される場合より、プロジェクターの部品点数を減少させることが可能となる。
【００１１】
また、本発明の好ましい態様としては、前記ダクト構成部材は、前記空間光変調装置から射出された光を透過させる射出側透過部材を備え、前記第２冷却用ダクトは、前記射出側透過部材を含めて構成されることが望ましい。これにより、第２冷却用ダクトにおいて所望の進行方向へ冷却風を流動させるとともに、第２冷却用ダクトの内部から外部へ光を通過させる。
【００１２】
また、本発明の好ましい態様としては、前記空間光変調装置から射出された光同士を合成させる色合成光学系を有し、前記第２冷却用ダクトは、前記色合成光学系の入射面を含めて構成されることが望ましい。色合成光学系を第２冷却用ダクトの構成部品とすることにより、色合成光学系に代えて別途第２冷却用ダクトを構成するための部品が使用される場合より、プロジェクターの部品点数を減少させることが可能となる。
【００１３】
また、本発明の好ましい態様としては、第１色光が入射する前記入射側偏光板である第１入射側偏光板と、第２色光が入射する前記入射側偏光板である第２入射側偏光板と、第３色光が入射する前記入射側偏光板である第３入射側偏光板と、前記第１入射側偏光板からの前記第１色光を画像信号に応じて変調する前記空間光変調装置である第１空間光変調装置と、前記第２入射側偏光板からの前記第２色光を画像信号に応じて変調する前記空間光変調装置である第２空間光変調装置と、前記第３入射側偏光板からの前記第３色光を画像信号に応じて変調する前記空間光変調装置である第３空間光変調装置と、前記第１冷却用ダクトと前記第２冷却用ダクトとを仕切る仕切り部と、を有し、前記冷却用ダクトは、前記第１空間光変調装置、前記第２空間光変調装置及び前記第３空間光変調装置を順次冷却するための冷却風が流動し、前記仕切り部は、前記第１入射側偏光板及び前記第２入射側偏光板の間と、前記第２入射側偏光板及び前記第３入射側偏光板の間と、の少なくとも一方に設けられることが望ましい。これにより、第１入射側偏光板と、第２入射側偏光板及び第３入射側偏光板のうちの少なくとも一方とについて、入射面側と射出面側とへ確実に冷却風を進行させる構成にできる。
【００１４】
また、本発明の好ましい態様としては、前記入射側偏光板は、色光ごとに設けられ、前記第１冷却用ダクトは、各入射側偏光板のうちの少なくとも一つの前記入射面を含めて構成され、前記第２冷却用ダクトは、各入射側偏光板のうちの少なくとも一つの前記射出面を含めて構成されることが望ましい。これにより、各入射側偏光板のうちの少なくとも一つを、冷却風により高い効率で冷却させることができる。
【００１５】
また、本発明の好ましい態様としては、前記第１冷却用ダクトは、緑色光用の入射側偏光板の前記入射面を含めて構成され、前記第２冷却用ダクトは、前記緑色光用の入射側偏光板の前記射出面を含めて構成されることが望ましい。緑色光は他の色光に比べて視感度が高いことから、高出力であることが求められることとなる。少なくとも緑色光用の入射側偏光板を高い効率で冷却させることで、光の吸収による発熱量が多くなる緑色光用の入射側偏光板の効率的な冷却を可能とし、プロジェクター全体として、熱による劣化を効果的に低減させることができる。
【図面の簡単な説明】
【００１６】
【図１】実施例１に係るプロジェクターの概略構成図である。
【図２】プロジェクターが備える冷却構造の斜視図である。
【図３】図２に示す冷却構造の展開図である。
【図４】図２に示す冷却構造の断面図である。
【図５】プロジェクターのうち冷却構造を含む部分の模式図である。
【図６】実施例１の変形例１に係る冷却構造を含む部分の模式図である。
【図７】実施例１の変形例２に係る冷却構造を含む部分の模式図である。
【図８】実施例２に係るプロジェクターのうち冷却構造を含む部分の模式図である。
【図９】実施例３に係るプロジェクターのうち冷却構造を含む部分の模式図である。
【発明を実施するための形態】
【００１７】
以下に図面を参照して、本発明の実施例を詳細に説明する。
【実施例１】
【００１８】
図１は、本発明の実施例１に係るプロジェクター１０の概略構成図である。プロジェクター１０は、スクリーン３２へ投写光を投写させ、スクリーン３２で反射する光を観察することで画像を鑑賞するフロント投写型のプロジェクターである。プロジェクター１０は、ファン３１から供給された冷却風が流動する冷却用ダクトを有する。冷却用ダクトの詳細については後述する。
【００１９】
光源部１１は、Ｒ光、Ｇ光、Ｂ光を含む光を射出する。光源部１１は、例えば、超高圧水銀ランプである。第１インテグレーターレンズ１２及び第２インテグレーターレンズ１３は、アレイ状に配列された複数のレンズ素子を有する。第１インテグレーターレンズ１２は、光源部１１からの光束を複数に分割する。第１インテグレーターレンズ１２の各レンズ素子は、光源部１１からの光束を第２インテグレーターレンズ１３のレンズ素子近傍にて集光させる。第２インテグレーターレンズ１３のレンズ素子は、第１インテグレーターレンズ１２のレンズ素子の像を液晶表示パネルに形成する。
【００２０】
偏光変換素子１４は、２つのインテグレーターレンズ１２、１３を経た光を所定の直線偏光に変換させる。重畳レンズ１５は、第１インテグレーターレンズ１２の各レンズ素子の像を液晶表示パネルの照射面上で重畳させる。第１インテグレーターレンズ１２、第２インテグレーターレンズ１３及び重畳レンズ１５は、光源部１１からの光の強度分布を液晶表示パネルの照射領域上にて均一化させる。
【００２１】
第１ダイクロイックミラー１６は、重畳レンズ１５から入射したＲ光を反射させ、Ｇ光及びＢ光を透過させる。重畳レンズ１５からのＲ光は、第１ダイクロイックミラー１６、反射ミラー１８でそれぞれ光路が折り曲げられ、フィールドレンズ２１Ｒへ入射する。フィールドレンズ２１Ｒは、反射ミラー１８からのＲ光を平行化させ、入射側偏光板２２Ｒ（第３入射側偏光板）の入射面へ入射させるレンズ素子である。入射側偏光板２２Ｒは、所定の直線偏光を透過させる。液晶表示パネル２３Ｒは、入射側偏光板２２Ｒの射出面から射出されたＲ光（第３色光）を画像信号に応じて変調する空間光変調装置（第３空間光変調装置）である。射出側偏光板２４Ｒは、液晶表示パネル２３Ｒからの光のうち所定の直線偏光を透過させる。入射側偏光板２２Ｒ及び射出側偏光板２４Ｒは、互いに偏光軸が垂直となるように配置される。
【００２２】
第２ダイクロイックミラー１７は、第１ダイクロイックミラー１６からのＧ光を反射させ、Ｂ光を透過させる。第１ダイクロイックミラー１６からのＧ光は、第２ダイクロイックミラー１７で光路が折り曲げられ、フィールドレンズ２１Ｇへ入射する。フィールドレンズ２１Ｇは、第２ダイクロイックミラー１７からのＧ光を平行化させ、入射側偏光板２２Ｇ（第２入射側偏光板）の入射面へ入射させるレンズ素子である。入射側偏光板２２Ｇは、所定の直線偏光を透過させる。液晶表示パネル２３Ｇは、入射側偏光板２２Ｇの射出面から射出されたＧ光（第２色光）を画像信号に応じて変調する空間光変調装置（第２空間光変調装置）である。射出側偏光板２４Ｇは、液晶表示パネル２３Ｇからの光のうち所定の直線偏光を透過させる。
【００２３】
第２ダイクロイックミラー１７を透過したＢ光は、リレーレンズ２６を透過した後、反射ミラー１９での反射により光路が折り曲げられる。反射ミラー１９からのＢ光は、さらにリレーレンズ２７を透過した後、反射ミラー２０での反射により光路が折り曲げられ、フィールドレンズ２１Ｂへ入射する。Ｒ光の光路及びＧ光の光路よりもＢ光の光路が長いことから、液晶表示パネル２３Ｂの照射領域における照明倍率を他の色光と等しくするために、Ｂ光の光路には、リレーレンズ２６、２７を用いるリレー光学系が採用されている。
【００２４】
フィールドレンズ２１Ｂは、反射ミラー２０からのＢ光を平行化させ、入射側偏光板２２Ｂ（第１入射側偏光板）の入射面へ入射させるレンズ素子である。入射側偏光板２２Ｂは、所定の直線偏光を透過させる。液晶表示パネル２３Ｂは、入射側偏光板２２Ｂの射出面から射出されたＢ光（第１色光）を画像信号に応じて変調する空間光変調装置（第１空間光変調装置）である。射出側偏光板２４Ｂは、液晶表示パネル２３Ｂからの光のうち所定の直線偏光を透過させる。
【００２５】
クロスダイクロイックプリズム２５は、各射出側偏光板２４Ｒ、２４Ｇ、２４Ｂから射出されたＲ光、Ｇ光及びＢ光を合成させ、投写レンズ３０の方向へ射出させる色合成光学系である。投写レンズ３０は、クロスダイクロイックプリズム２５で合成された光をスクリーン３２の方向へ投写させる。ファン３１は、冷却用ダクトを流動させる冷却風を供給する。ファン３１は、例えばシロッコファンや、冷却風を供給可能ないずれのものを用いても良い。
【００２６】
図２は、プロジェクター１０が備える冷却構造の斜視図である。冷却構造は、入射側偏光板２２Ｒ、２２Ｇ、２２Ｂ、液晶表示パネル２３Ｒ、２３Ｇ、２３Ｂ、射出側偏光板２４Ｒ、２４Ｇ、２４Ｂ及びクロスダイクロイックプリズム２５と、冷却用ダクトとが一体化されて構成されている。ベース４０は、入射側偏光板２２Ｒ、２２Ｇ、２２Ｂ、液晶表示パネル２３Ｒ、２３Ｇ、２３Ｂ、射出側偏光板２４Ｒ、２４Ｇ、２４Ｂ及びクロスダイクロイックプリズム２５が載置されている。
【００２７】
カバー４１は、ベース４０に載置されている各構成のうち、クロスダイクロイックプリズム２５以外の構成を覆う。カバー４１は、クロスダイクロイックプリズム２５の周囲のうち、各液晶表示パネル２３Ｒ、２３Ｇ、２３Ｂからの光が入射する三方を囲うように取り付けられている。液晶表示パネル２３Ｒ、２３Ｇ、２３Ｂの外部接続端子であるフレキシブル基板４９は、カバー４１のうちベース４０側とは反対側の上面を貫かせて設けられている。カバー４１のうち入射側偏光板２２Ｒ、２２Ｇ、２２Ｂに対向する位置には、入射側透過部材４４が設けられている。入射側透過部材４４は、入射側偏光板２２Ｒ、２２Ｇ、２２Ｂへ入射させる光を透過させる。
【００２８】
図３は、図２に示す冷却構造の展開図である。各液晶表示パネル２３Ｒ、２３Ｇ、２３Ｂは、ベース４０上に設けられた支持枠４６によって支持されている。カバー４１のうち射出側偏光板２４Ｒ、２４Ｇ、２４Ｂに対向する位置には、射出側透過部材４５が設けられている。射出側透過部材４５は、液晶表示パネル２３Ｒ、２３Ｇ、２３Ｂ及び射出側偏光板２４Ｒ、２４Ｇ、２４Ｂから射出された光を透過させる。
【００２９】
図４は、図２に示す冷却構造の断面図である。入射側透過部材４４は、カバー４１のうち入射側偏光板２２Ｒ、２２Ｇ、２２Ｂの入射面Ｓ１に対向する位置に形成された開口部４７を覆うように配置されている。射出側透過部材４５は、カバー４１のうち射出側偏光板２４Ｒ、２４Ｇ、２４Ｂの射出面に対向する位置に形成された開口部４８を覆うように配置されている。
【００３０】
カバー４１は、Ｂ光用の各構成及びＧ光用の各構成の間と、Ｇ光用の各構成及びＲ光用の各構成の間と、の二箇所で折り曲げられている。第１仕切り部４２は、二つの入射側偏光板２２Ｂ、２２Ｇの間に配置されている。第２仕切り部４３は、二つの入射側偏光板２２Ｇ、２２Ｒの間に配置されている。第１仕切り部４２及び第２仕切り部４３は、いずれも、カバー４１と同様に折り曲げられている。入射側偏光板２２Ｒ、２２Ｇ、２２Ｂ、第１仕切り部４２及び第２仕切り部４３は、いずれも、カバー４１との間に間隔を設けて配置されている。なお、第１仕切り部４２は、ベース４０、カバー４１、隣接する入射側偏光板２２Ｂ、２２Ｇのいずれに取り付けられることとしても良い。第２仕切り部４３は、ベース４０、カバー４１、隣接する入射側偏光板２２Ｇ、２２Ｒのいずれに取り付けられることとしても良い。
【００３１】
冷却構造に形成された冷却用ダクトは、第１冷却用ダクトＤ１と第２冷却用ダクトＤ２とに分けられている。第１冷却用ダクトＤ１は、入射側偏光板２２Ｒ、２２Ｇ、２２Ｂの入射面Ｓ１側に形成されている。第１冷却用ダクトＤ１は、入射側偏光板２２Ｒ、２２Ｇ、２２Ｂの入射面Ｓ１、及び入射側透過部材４４の射出面を含めて構成されている。入射側透過部材４４は、第１冷却用ダクトＤ１において所望の進行方向へ冷却風を流動させるとともに、第１冷却用ダクトＤ１の外部から内部へ光を通過させる役割を果たす。
【００３２】
第２冷却用ダクトＤ２は、入射側偏光板２２Ｒ、２２Ｇ、２２Ｂの射出面Ｓ２側に形成されている。第２冷却用ダクトＤ２は、入射側偏光板２２Ｒ、２２Ｇ、２２Ｂの射出面Ｓ２、及び射出側透過部材４５の入射面を含めて構成されている。射出側透過部材４５は、第２冷却用ダクトＤ２において所望の進行方向へ冷却風を流動させるとともに、第２冷却用ダクトＤ２の内部からクロスダイクロイックプリズム２５側へ光を通過させる役割を果たす。
【００３３】
第１仕切り部４２及び第２仕切り部４３は、入射側偏光板２２Ｒ、２２Ｇ、２２Ｂが設けられた部分以外の部分で第１冷却用ダクトＤ１と第２冷却用ダクトＤ２とを仕切る。第１冷却用ダクトＤ１及び第２冷却用ダクトＤ２のうち、図示する断面の紙面奥側は、ベース４０により覆われている。図示する断面の紙面手前側は、カバー４１の上面により覆われている。ベース４０、カバー４１、第１仕切り部４２、第２仕切り部４３、入射側透過部材４４及び射出側透過部材４５は、冷却用ダクトを構成するダクト構成部材として機能する。なお、液晶表示パネル２３Ｒ、２３Ｇ、２３Ｂ及び射出側偏光板２４Ｒ、２４Ｇ、２４Ｂは、第２冷却用ダクトＤ２の内部に設けられている。
【００３４】
図５は、プロジェクター１０のうち冷却構造を含む部分の模式図である。図中、ハッチングを付した部分は断面として表している。ファン３１から第１冷却用ダクトＤ１へ流入した冷却風は、入射側偏光板２２Ｂの入射面と入射側透過部材４４との間を通過し、第１仕切り部４２の外周面及びカバー４１の間で進行方向が折り曲げられる。第１仕切り部４２及びカバー４１の間を通過した冷却風は、入射側偏光板２２Ｇの入射面と入射側透過部材４４との間を通過し、第２仕切り部４３の外周面及びカバー４１の間で進行方向が折り曲げられる。第２仕切り部４３及びカバー４１の間を通過した冷却風は、入射側偏光板２２Ｒと入射側透過部材４４との間を通過する。
【００３５】
ファン３１から第２冷却用ダクトＤ２へ流入した冷却風は、入射側偏光板２２Ｂの射出面と射出側透過部材４５との間を通過し、第１仕切り部４２の内周面及びカバー４１（クロスダイクロイックプリズム２５側の部分）の間で進行方向が折り曲げられる。第１仕切り部４２及びカバー４１の間を通過した冷却風は、入射側偏光板２２Ｇの射出面と射出側透過部材４５との間を通過し、第２仕切り部４３の内周面及びカバー４１の間で進行方向が折り曲げられる。第２仕切り部４３及びカバー４１の間を通過した冷却風は、入射側偏光板２２Ｒの射出面と射出側透過部材４５との間を通過する。
【００３６】
ファン３１から冷却用ダクトへ流入された冷却風は、Ｂ光用の入射側偏光板２２Ｂ、液晶表示パネル２３Ｂ、射出側偏光板２４Ｂ、Ｇ光用の入射側偏光板２２Ｇ、液晶表示パネル２３Ｇ、射出側偏光板２４Ｇ、Ｒ光用の入射側偏光板２２Ｒ、液晶表示パネル２３Ｒ、射出側偏光板２４Ｒを順次冷却する。第１冷却用ダクトＤ１を通過する冷却風は、入射側偏光板２２Ｒ、２２Ｇ、２２Ｂの入射面から熱を奪い、プロジェクター１０の外部へ排出される。第２冷却用ダクトＤ２を通過する冷却風は、入射側偏光板２２Ｒ、２２Ｇ、２２Ｂの射出面、液晶表示パネル２３Ｒ、２３Ｇ、２３Ｂ及び射出側偏光板２４Ｒ、２４Ｇ、２４Ｂから熱を奪い、プロジェクター１０の外部へ排出される。このようにして、プロジェクター１０は、入射側偏光板２２Ｒ、２２Ｇ、２２Ｂ、液晶表示パネル２３Ｒ、２３Ｇ、２３Ｂ及び射出側偏光板２４Ｒ、２４Ｇ、２４Ｂで生じた熱を外部へ放出させる。
【００３７】
プロジェクター１０は、第１仕切り部４２及び第２仕切り部４３を設けることにより、ファン３１から供給され二番目以降に冷却風が流入する入射側偏光板２２Ｒ、２２Ｇの入射面側と射出面側とへ確実に冷却風を進行させることができる。また、ファン３１から供給され最初に冷却風が流入する入射側偏光板２２Ｂに対しても、入射側偏光板２２Ｂの入射面及び射出面に沿う方向へ冷却風を流入させることで、入射側偏光板２２Ｂの入射面側と射出面側とへ確実に冷却風を進行させることが可能である。
【００３８】
入射側偏光板２２Ｒ、２２Ｇ、２２Ｂは、入射面側と射出面側とからの放熱により、効率的な冷却が可能となる。これにより、冷却風により入射側偏光板２２Ｒ、２２Ｇ、２２Ｂを高い効率で冷却させることができるという効果を奏する。また、第２冷却用ダクトＤ２の内部に液晶表示パネル２３Ｒ、２３Ｇ、２３Ｂ及び射出側偏光板２４Ｒ、２４Ｇ、２４Ｂを配置することで、冷却風による液晶表示パネル２３Ｒ、２３Ｇ、２３Ｂ及び射出側偏光板２４Ｒ、２４Ｇ、２４Ｂの効率的な冷却も可能となる。
【００３９】
入射側偏光板２２Ｒ、２２Ｇ、２２Ｂ、液晶表示パネル２３Ｒ、２３Ｇ、２３Ｂ、射出側偏光板２４Ｒ、２４Ｇ、２４Ｂの効率的な冷却により、入射側偏光板２２Ｒ、２２Ｇ、２２Ｂ、液晶表示パネル２３Ｒ、２３Ｇ、２３Ｂ、射出側偏光板２４Ｒ、２４Ｇ、２４Ｂの劣化を低減させる。また、効率的な冷却を可能とすることで、流動させる冷却風の風量を少なくでき、ファン３１の駆動音を少なくすることが可能となる。これにより、プロジェクター１０は、静音性に優れ、かつ高い信頼性を得ることができる。なお、各色光用の入射側偏光板２２Ｒ、２２Ｇ、２２Ｂ、液晶表示パネル２３Ｒ、２３Ｇ、２３Ｂ、射出側偏光板２４Ｒ、２４Ｇ、２４Ｂに対して冷却風を流動させる順序は、本実施例で説明する場合に限られない。冷却風を流動させる順序は、各色光用の構成の配置に応じて適宜変更しても良い。
【００４０】
図６は、本実施例の変形例１に係る冷却構造を含む部分の模式図である。本変形例に係る冷却構造は、プロジェクター１０に適用される。本変形例は、第２冷却用ダクトＤ２がクロスダイクロイックプリズム２５の入射面を含めて構成されることを特徴とする。クロスダイクロイックプリズム２５の入射面は、射出側透過部材４５を介さず、カバー４１のうち射出側偏光板２４Ｒ、２４Ｇ、２４Ｂの射出面に対向する位置に形成された各開口部４８（図４参照）を覆う。
【００４１】
第２冷却用ダクトＤ２へ流入した冷却風は、入射側偏光板２２Ｒ、２２Ｇ、２２Ｂの射出面とクロスダイクロイックプリズム２５の入射面との間を通過する。本変形例の場合も、冷却風により入射側偏光板２２Ｒ、２２Ｇ、２２Ｂを高い効率で冷却させることができる。また、クロスダイクロイックプリズム２５を第２冷却用ダクトＤ２の構成部品とすることにより、クロスダイクロイックプリズム２５に代えて別途第２冷却用ダクトＤ２を構成するための部品が使用される場合より、プロジェクター１０の部品点数を減少させることが可能となる。
【００４２】
図７は、本実施例の変形例２に係る冷却構造を含む部分の模式図である。本変形例に係る冷却構造は、プロジェクター１０に適用される。本変形例は、第１冷却用ダクトＤ１がフィールドレンズ２１Ｒ、２１Ｇ、２１Ｂを含めて構成されることを特徴とする。フィールドレンズ２１Ｒ、２１Ｇ、２１Ｂは、レンズ素子として機能するとともに、入射側偏光板２２Ｒ、２２Ｇ、２２Ｂの入射面へ入射させる光を透過させる入射側透過部材としての役割も果たす。
【００４３】
フィールドレンズ２１Ｒ、２１Ｇ、２１Ｂは、カバー４１のうち入射側偏光板２２Ｒ、２２Ｇ、２２Ｂの入射面に対向する位置に形成された各開口部４７（図４参照）を覆うように配置されている。第１冷却用ダクトＤ１へ流入した冷却風は、入射側偏光板２２Ｒ、２２Ｇ、２２Ｂの入射面とフィールドレンズ２１Ｒ、２１Ｇ、２１Ｂの射出面との間を通過する。本変形例の場合も、冷却風により入射側偏光板２２Ｒ、２２Ｇ、２２Ｂを高い効率で冷却させることができる。また、フィールドレンズ２１Ｒ、２１Ｇ、２１Ｂを第１冷却用ダクトＤ１の構成部品とすることにより、フィールドレンズ２１Ｒ、２１Ｇ、２１Ｂに代えて別途第１冷却用ダクトＤ１を構成するための部品が使用される場合より、プロジェクター１０の部品点数を減少させることが可能となる。
【実施例２】
【００４４】
図８は、本発明の実施例２に係るプロジェクターのうち冷却構造を含む部分の模式図である。本実施例は、実施例１に係るプロジェクター１０に設けられている第１仕切り部４２及び第２仕切り部４３のうち、第１仕切り部４２のみを有することを特徴とする。実施例１と同一の部分には同一の符号を付し、重複する説明を省略する。
【００４５】
ファン３１から第１冷却用ダクトＤ１へ流入した冷却風は、第１仕切り部４２及びカバー４１の間を通過した後、入射側偏光板２２Ｇの入射面と入射側透過部材４４との間を通過する。ファン３１から第２冷却用ダクトＤ２へ流入した冷却風は、第１仕切り部４２及びカバー４１（クロスダイクロイックプリズム２５側の部分）を通過した後、入射側偏光板２２Ｇの射出面と射出側透過部材４５との間を通過する。第１冷却用ダクトＤ１を通過した冷却風と、第２冷却用ダクトＤ２を通過した冷却風とは、Ｇ光用の各構成とＲ光用の各構成との間で合流する。その後、冷却風は、Ｒ光が透過する入射側透過部材４４から射出側透過部材４５までの各構成における隙間を通過する。
【００４６】
本実施例では、第１仕切り部４２を設けることにより、第１仕切り部４２の外周面側を通過した冷却風を入射側偏光板２２Ｇの入射面側に確実に進行させるとともに、第１仕切り部４２の内周面側を通過した冷却風を入射側偏光板２２Ｇの射出面側に確実に進行させる。これにより、少なくとも入射側偏光板２２Ｇを、冷却風により高い効率で冷却させることが可能となる。
【００４７】
Ｇ光は他の色光に比べて視感度が高いことから、高出力であることが求められることとなる。少なくともＧ光用の入射側偏光板２２Ｇを高い効率で冷却させることで、光の吸収による発熱量が多くなる入射側偏光板２２Ｇの効率的な冷却を可能とし、プロジェクター１０全体として、熱による劣化を効果的に低減させることができる。
【００４８】
なお、仕切り部は、互いに隣接する入射側偏光板２２Ｒ、２２Ｇ、２２Ｂ同士の間の少なくとも一箇所に設けられていれば良く、Ｂ光用の入射側偏光板２２Ｂ及びＧ光用の入射側偏光板２２Ｇの間に第１仕切り部４２を設ける場合に限られない。プロジェクターは、第１仕切り部４２及び第２仕切り部４３のうち、Ｇ光用の入射側偏光板２２Ｇ及びＲ光用の入射側偏光板２２Ｒの間に設けられる第２仕切り部４３のみを有する構成であっても良い。第１仕切り部４２及び第２仕切り部４３の一方を省略する場合、冷却用ダクトにおける圧力損失を低減させ、冷却風の流量を増やすことが可能となる。
【実施例３】
【００４９】
図９は、本発明の実施例３に係るプロジェクターのうち冷却構造を含む部分の模式図である。本実施例は、各色光用の入射側偏光板２２Ｒ、２２Ｇ、２２ＢのうちＧ光用の入射側偏光板２２Ｇのみが第１冷却用ダクトＤ１と第２冷却用ダクトＤ２とを構成することを特徴とする。実施例１と同一の部分には同一の符号を付し、重複する説明を省略する。
【００５０】
第１冷却用ダクトＤ１は、Ｇ光用の入射側偏光板２２Ｇの入射面を含めて構成されている。第２冷却用ダクトＤ２は、Ｇ光用の入射側偏光板２２Ｇの射出面を含めて構成されている。Ｂ光用の入射側偏光板２２Ｂは、カバー４１のうち液晶表示パネル２３Ｂに対向する位置に形成された開口部を覆うように配置されている。Ｒ光用の入射側偏光板２２Ｒは、カバー４１のうち液晶表示パネル２３Ｒに対向する位置に形成された開口部を覆うように配置されている。
【００５１】
ファン３１からの冷却風は、Ｂ光用の入射側偏光板２２Ｂから射出側透過部材４５までの各構成間の隙間を通過する。Ｂ光用の各構成を通過後、第１冷却用ダクトＤ１へ流入した冷却風は、Ｇ光用の入射側偏光板２２Ｇの入射面と入射側透過部材４４との間を通過する。Ｂ光用の各構成を通過後、第２冷却用ダクトＤ２へ流入した冷却風は、Ｇ光用の入射側偏光板２２Ｇの射出面と射出側透過部材４５との間を通過する。第１冷却用ダクトＤ１を通過した冷却風と、第２冷却用ダクトＤ２を通過した冷却風とは、Ｇ光用の各構成とＲ光用の各構成との間で合流する。その後、冷却風は、Ｒ光用の入射側偏光板２２Ｒから射出側透過部材４５までの各構成間の隙間を通過する。
【００５２】
本実施例では、Ｇ光用の入射側偏光板２２Ｇの入射面側に第１冷却用ダクトＤ１、射出面側に第２冷却用ダクトＤ２が設けられることで、冷却風を入射側偏光板２２Ｇの入射面側と射出面側とに確実に進行させる。これにより、少なくとも入射側偏光板２２Ｇを、冷却風により高い効率で冷却させることが可能となる。少なくともＧ光用の入射側偏光板２２Ｇを高い効率で冷却させることで、光の吸収による発熱量が多くなる入射側偏光板２２Ｇの効率的な冷却を可能とし、プロジェクター１０全体として、熱による劣化を効果的に低減させることができる。
【００５３】
なお、第１冷却用ダクトＤ１は少なくともＧ光用の入射側偏光板２２Ｇの入射面を含めて構成されていれば良く、第２冷却用ダクトＤ２は少なくともＧ光用の入射側偏光板２２Ｇの射出面を含めて構成されていれば良い。例えば、第１冷却用ダクトＤ１は、Ｇ光用の入射側偏光板２２Ｇの入射面の他、Ｒ光用の入射側偏光板２２Ｒの入射面又はＢ光用の入射側偏光板２２Ｂの入射面を含めて構成しても良い。第２冷却用ダクトＤ２は、Ｇ光用の入射側偏光板２２Ｇの射出面の他、Ｒ光用の入射側偏光板２２Ｒの射出面又はＢ光用の入射側偏光板２２Ｂの射出面を含めて構成しても良い。また、適宜仕切り部を設けることとしても良い。さらに、各実施例で説明する構成は、適宜組み合わせることとしても良い。
【符号の説明】
【００５４】
１０  プロジェクター、１１  光源部、１２  第１インテグレーターレンズ、１３  第２インテグレーターレンズ、１４  偏光変換素子、１５  重畳レンズ、１６  第１ダイクロイックミラー、１７  第２ダイクロイックミラー、１８、１９、２０  反射ミラー、２１Ｒ、２１Ｇ、２１Ｂ  フィールドレンズ、２２Ｒ、２２Ｇ、２２Ｂ  入射側偏光板、２３Ｒ、２３Ｇ、２３Ｂ  液晶表示パネル、２４Ｒ、２４Ｇ、２４Ｂ  射出側偏光板、２５  クロスダイクロイックプリズム、２６、２７  リレーレンズ、３０  投写レンズ、３１  ファン、３２  スクリーン、４０  ベース、４１  カバー、４２  第１仕切り部、４３  第２仕切り部、４４  入射側透過部材、４５  射出側透過部材、４６  支持枠、４７、４８  開口部、４９  フレキシブル基板、Ｄ１  第１冷却用ダクト、Ｄ２  第２冷却用ダクト、Ｓ１  入射面、Ｓ２  射出面
【図１】
2011033675.tif 000003
【図２】
2011033675.tif 000004
【図３】
2011033675.tif 000005
【図４】
2011033675.tif 000006
【図５】
2011033675.tif 000007
【図６】
2011033675.tif 000008
【図７】
2011033675.tif 000009
【図８】
2011033675.tif 000010
【図９】
2011033675.tif 000011